(57)【要約】【課題】  複数の人が利用するコンビニエンスストア等に設置されるパブリックプリンタに対し、好適なプリント条件の設定環境を実現しながら、高速なプリントデータ転送を実現することが可能となり、またプリンタの電子メールアドレス等の情報を外部に開示することから生じる危険性を回避することができる。【解決手段】  他の機器からプリンタに対して、プリントジョブに関するプリント条件を指定する第１の無線通信手段と、プリンタからの指定に基づき、他の機器のデータをプリンタに送出する第２の無線通信手段とを有することを特徴とするプリントシステム。【選択図】        図１
2006285906.tif 000002
【特許請求の範囲】
【請求項１】
他の機器から無線通信手段を用いて、データをプリントするプリントシステムにおいて、
他の機器からプリンタに対して、プリントジョブに関するプリント条件を指定する第１の無線通信手段と、
プリンタからの指定に基づき、他の機器のデータをプリンタに送出する第２の無線通信手段と、
を有することを特徴とするプリントシステム。
【請求項２】
請求項１に記載のプリントシステムにおいて、
第１の無線通信手段は近接無線通信を行うことを特徴とするプリントシステム。
【請求項３】
請求項１に記載のプリントシステムにおいて、
第２の無線通信手段は無線ＬＡＮ方式により通信することを特徴とするプリントシステム。
【請求項４】
請求項１に記載のプリントシステムにおいて、
第１の無線通信手段により暗号鍵の転送を行い、
第２の無線通信手段によりプリントデータの転送を行うことを特徴とするプリントシステム。
【発明の詳細な説明】
【技術分野】
【０００１】
無線通信手段を用いて、データをプリントするプリントシステムに関する。
【背景技術】
【０００２】
従来、例えば特許文献１において、ネットワーク上で提供されるデータを携帯端末から指定してプリントする際、ＷＷＷサーバから携帯端末にインターネットを介してデータをダウンロードした後、ブルーツースで携帯機器からプリンタにデータ通信する事が示されている。
【０００３】
また、特許文献２においては携帯電話からの電子メールにより、画像形成装置に印刷指示を行う。電子メールアドレス取得は近距離無線通信で行う。
【特許文献１】特開２００４−１２７１３３号公報
【特許文献２】特開２００２−１３２４７７号公報
【発明の開示】
【発明が解決しようとする課題】
【０００４】
従来、例えば特許文献１のように大量のプリントデータをブルーツース等の近接通信で携帯機器からプリンタに送出するという技術が示されている。ブルーツースの一つの通信形態であるＰｉｃｏｎｅｔでは複数の機器と通信することが可能であり、複数の人が利用するコンビニエンスストア等に設置されるパブリックプリンタに対し、携帯機器からプリント条件を設定するような場合に適した、無線通信方式である。しかしながら、Ｂｌｕｅｔｏｏｔｈ２では伝送能力が最大１２Ｍｂｐｓ近傍であり他の伝送手段、例えば無線ＬＡＮ−ＩＥＥＥ８０２．１１ｇでは〜１００Ｍｂｐｓであり、ブルーツースを用いて大量のデータを伝送する場合、伝送時間がかかるという問題があった。
【０００５】
また、特許文献２のように、プリンタの電子メールアドレスを外部に開示すると外部からＳＰＡＭメールのような攻撃に曝される危険性が高くなる。
【０００６】
本発明は、以上の点に着目して成されたもので、好適なプリント条件の設定環境を実現しながら、高速なプリントデータ転送を実現することが可能となり、プリンタの電子メールアドレス等の情報を外部に開示することから生じる危険性を回避することができるプリントシステムを提供することを目的とする。
【課題を解決するための手段】
【０００７】
携帯機器等の機器からのデータをプリントする際、ジョブの登録と、プリントデータの転送とを異なる無線通信手段で行うことにより、前述の問題点を解決しようとするものである。さらに、携帯機器等のデータをプリンタ側でプルプリントする手段を設けることにより、プリンタの電子メールアドレスを外部に開示することから生じる危険性を回避しようとするものである。
【０００８】
すなわち、本発明の技術内容は以下の構成を備えることにより前記課題を解決できた。
【０００９】
（１）他の機器から無線通信手段を用いて、データをプリントするプリントシステムにおいて、他の機器からプリンタに対して、プリントジョブに関するプリント条件を指定する第１の無線通信手段と、プリンタからの指定に基づき、他の機器のデータをプリンタに送出する第２の無線通信手段と、を有することを特徴とするプリントシステム。
【発明の効果】
【００１０】
本発明によれば、携帯機器等の機器からのデータをプリントする際、ジョブの登録と、プリントデータの転送とを異なる無線通信手段で行うことにより、複数の人が利用するコンビニエンスストア等に設置されるパブリックプリンタに対し、好適なプリント条件の設定環境を実現しながら、高速なプリントデータ転送を実現することが可能となる。
【００１１】
他の機器のデータをプリンタ側でプルプリントする手段を設けることにより、プリンタの電子メールアドレス等の情報を外部に開示することから生じる危険性を回避することができる。
【発明を実施するための最良の形態】
【００１２】
以下本発明を実施するための最良の形態を、実施例により詳しく説明する。
【実施例】
【００１３】
本実施例は、ユーザがコンビニエンスストアなどに設置されているパブリックプリンタを利用して、無線通信機能を持った携帯機器から携帯機器内部のデータをプリントするものである。
【００１４】
図１は、本発明の一実施例の形態におけるシステムの概要を示す概略図である。
【００１５】
図１において、１−１はコンビニエンスストアなどに設置されているマルチファンクションシステム（以下ＭＦＰシステム１−１）。
【００１６】
前記コンビニエンスストアなどに設置されているＭＦＰシステム１−１は、プリンタ、スキャナ、またはコピー機能をもつＭＦＰ１−３、１−２のＣＲＴモニタで構成されている。
【００１７】
携帯機器１−４及びＭＦＰシステム１−１は、ブルーツース１−５及び無線ＬＡＮ１−６の二つの無線通信機能を有している。
【００１８】
図２は本発明のＭＦＰ１−３の構成を示す側断面図である。
【００１９】
図２において、２００は原稿画像を読み取るイメージリーダ部２０１と、イメージリーダ部２０１で読み取った画像データを再現するプリンタ部２０２とに大きく分けられる。
【００２０】
イメージリーダ部２０１は、４００ｄｐｉ（ｄｏｔｓ／ｉｎｃｈ）の解像度で原稿を読み取り、デジタル信号処理を行う部分である。プリンタ部２０２は、イメージリーダ部２０１によって読み取られた原稿画像に対応した画像を４００ｄｐｉの解像度で指定用紙にフルカラープリント出力する部分である。
【００２１】
イメージリーダ部２０１において、原稿台ガラス（以下、プラテン）２０３上の原稿２０４は、ランプ２０５で照射され、ミラー２０６，２０７，２０８に導かれ、レンズ２０９によって、集光された光を電気信号に変換する３ラインセンサ（以下、ＣＣＤ）２１０上に像を結び、フルカラー情報レッド（Ｒ）、グリーン（Ｇ），ブルー（Ｂ）成分として信号処理部２１１に送られる。
【００２２】
なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。
【００２３】
信号処理部２１１においては、読み取られた画像信号を電気的に処理し、マゼンタ（Ｍ），シアン（Ｃ），イエロー（Ｙ），ブラック（Ｂｋ）の各成分に分解し、プリンタ部２０２に送る。
【００２４】
また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。
【００２５】
２１８は回転現像器であり、マゼンタ現像部２１９、シアン現像部２２０、イエロー現像部２２１、ブラック現像部２２２より構成され、４つの現像部が交互に感光ドラム２１７に接し、感光ドラム上に形成された潜像現像をトナーで現像する。２２３は転写ドラムであり、用紙カセツト２２４または２２５より供給される用紙をこの転写ドラム２２３に巻き付け、感光ドラム上に現像された像を用紙に転写する。この様にして、Ｍ、Ｃ、Ｙ、Ｂｋの４色が順次転写された後に、用紙は定着ユニツト２２６を通過して、トナーが用紙に定着された後に排紙される。
【００２６】
図３はＭＦＰ１−３における、紙などの記録媒体に印字を行うプリンタ部の電気信号を処理する部分の構成を詳細に示したものである。
【００２７】
３０１はＣＰＵで、プリンタの各部の制御を行うためのものである。３０２はＲＡＭであり前記ＣＰＵが演算した結果や、プリンタが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。
【００２８】
３０５はＩ／Ｏバスであり、機能拡張用の内部Ｂｕｓである。３０６は前記ローカルバスとＩ／Ｏバスを接続するためのブリッジ回路である。３０７はプリンタ部で、紙などの記録媒体に画像を形成するための部分である。電子写真方式やバブルジェット(登録商標)方式など様々な形式のプリンタ部が存在する。
【００２９】
３０８はプリンタインターフェース部であり、前記プリンタ部とＩ／Ｏバスを接続するためのものであり、ＣＰＵの指示に従って３０２のＲＡＭに格納されている画像データを３０７のプリンタ部へ転送することが可能である。３０９はハードディスクドライブであり、画像データのスプールを行ったり、３０１のＣＰＵが様々の処理を行うためのプログラムなどを格納させておくためのものである。
【００３０】
３１１はネットワークインターフェースコントローラであり、３１２はイメージプロセッシングユニット（以下ＩＰＵ）であり、解像度変換などの画像処理を行うためのものである。３１３はラスタイメージプロセッサであり、３０１のＣＰＵの指示により、３１１のネットワークインターフェース回路を経由して外部から転送されたページ記述言語の画像データをビットマップ画像へ展開し、３０２のＲＡＭへ展開したビットマップデータを格納するために使用される。
【００３１】
３１４はビデオＲＡＭで、ＣＰＵにより外部のＣＲＴやＬＣＤパネルに表示した表示データが書き込まれるものである。３１５はビデオインターフェースであり、ＶＲＡＭに格納されている表示データを外部のＣＲＴやＬＣＤパネルに表示するためのインターフェースをするためのものである。
【００３２】
３１６は拡張Ｉ／Ｏインターフェースであり、たとえば携帯機器などと４０１のＣＰＵが通信などを行うためのインターフェース回路であり、図７で示す、ブルーツース７０１、無線ＬＡＮ７０２で構成されている。
【００３３】
図４はＭＦＰ１−３における、スキャナ部の電気信号を処理する部分の構成を詳細に示したものである。
【００３４】
４０１はＣＰＵで、スキャナの各部の制御を行うためのものである。４０２はＲＡＭであり前記ＣＰＵが演算した結果や、スキャナが読み込んだ画像データなどを一時的に記憶しておくためのものである。４０３はＲＯＭであり、前記ＣＰＵが動作するためのプログラムなどが格納されている。４０４は、前記ＣＰＵ、ＲＡＭ、ＲＯＭが接続されているローカルバスである。４０５はＩ／Ｏバスであり、機能拡張用の内部Ｂｕｓである。４０６は前記ローカルバスとＩ／Ｏバスを接続するためのブリッジ回路である。
【００３５】
４０７はスキャナ部で、不図示の原稿台に置かれた原稿から読み取った光学的な信号を、ＣＣＤなどを用いて電子データに変換し、その電子データを転送するための部分である。４０８はスキャナインターフェース部であり、前記スキャナ部とＩ／Ｏバスを接続するためのものであり、ＣＰＵの指示に従って、前記スキャナから転送される原稿を読み取った電子データを、４０２のＲＡＭに転送することが可能である。
【００３６】
４１０はネットワークインターフェースコントローラである。４０９は、イメージプロセッシングユニット（以下ＩＰＵ）であり、解像度変換などの画像処理を行うためのものである。４１１は拡張Ｉ／Ｏインターフェースであり、４１１は拡張Ｉ／Ｏインターフェースであり、たとえば携帯機器などと４０１のＣＰＵが通信などを行うためのインターフェース回路である。通信形態はシリアル通信や、バイセントロインターフェース、またはＢｌｕｅｔｏｏｔｈなどの無線通信などの形式がある。
【００３７】
図５は本発明の一実施例において、ユーザがコンビニエンスストアなどに設置されている図１のＭＦＰシステム１を使用して、携帯機器１−４から機器内部のデータをプリントする動作の概略を説明する、シーケンス図である。
【００３８】
図６は携帯機器１−４の概略を示したブロック図である。
【００３９】
携帯機器１−４は、ＬＣＤの表示部６０４、および操作部６０５が接続されており、また画像撮影部６０２およびメモリーカード６１０をもつ。６０１には、機器全体の制御を行うためのＣＰＵ６０６が搭載されており、またＣＰＵが動作するための一時記憶としてＲＡＭ６０７が接続されている。
【００４０】
またＲＯＭ６０９が搭載されており、機器を識別するためのＩＤ情報などが記憶されている。ＲＯＭ６０９は、ＲＯＭＩ／Ｆ６０８を介してＣＰＵと接続されており、必要に応じてＲＯＭ６０９の部分だけを脱着可能な構成となっている。
【００４１】
また携帯機器１−４にはブルーツース１０３及び無線ＬＡＮ６１１の二つのインターフェースが搭載されている。
【００４２】
図８は本実施例を説明するフローチャートである。
【００４３】
図８−１−１〜８−１−４は、携帯機器１−４のＣＰＵ６０６の動作を説明している。
【００４４】
８−１−１において、ユーザはＬＣＤ表示部６０４及び、操作ボタン６０５を操作して、ファイル名９−１等のプリント条件を指定する。
【００４５】
８−１−２において、図９で示すジョブ登録データをＭＦＰ１−３に、ブルーツース６０３のインターフェースを用いて送出する。
【００４６】
図９のＩＰアドレス９−６はＭＦＰ１−３のＩＰアドレスである。
【００４７】
８−１−３において、ＭＦＰ１−３から発行される、図１０で示す、ジョブチケットをブルーツース６０３のインターフェースで待ち受ける。
【００４８】
ジョブチケットを受信したら、プリントデータファイル（ＰＤＦ）（図１１参照）に属性としてＪＯＢ＿ＩＤ  １０−１を付与する。
【００４９】
８−１−４において、ＭＦＰ１−３からのＦＴＰ指定に基づき、プリントデータを、無線ＬＡＮ６１１のインターフェースを用いてＭＦＰ１−３に送出する。プリントデータファイルは暗号鍵９−５で、事前に暗号化されている。
【００５０】
図８−２−１〜８−２−５は、ＭＦＰ１−３のＣＰＵ３０１の動作を説明している。
【００５１】
８−２−１において、携帯機器１−４から送られてくる図９で示す、ジョブ登録をブルーツース７０１のインターフェースで待ち受ける。
【００５２】
８−２−２において、図１０で示すＪＯＢ＿ＩＤ  １０−１及び有効期限１０−３を決定しブルーツース７０１のインターフェースを用いて、ジョブチケットを送出する。
【００５３】
８−２−３において、ＦＴＰプロトコルで携帯機器１−４のプリントデータファイルを転送する。無線ＬＡＮ７０２のインターフェースを利用して、アドホックモードでデータ通信を行う。
【００５４】
８−２−４において、ＪＯＢ＿ＩＤ  １０−１が、先に発行した値に一致しているかをチェックしさらに、有効期限１０−３がデータ受信した日時と比較して、期限内に入っているかをチェックする。
【００５５】
８−２−５において、暗号鍵９−５で受信したプリントデータを復号化し、図９で示すプリント条件に基づきプリントを実施する。
【図面の簡単な説明】
【００５６】
【図１】本発明の一実施例の形態におけるシステムの概要を示す概略図である。
【図２】本発明のＭＦＰ１−３の構成を示す側断面図である。
【図３】プリンタの電気処理部の詳細説明図である。
【図４】スキャナの電気処理部の詳細説明図である。
【図５】携帯機器データプリントシステムの手続きを説明するフローチャートである。
【図６】携帯機器１−４の概略を示したブロック図である。
【図７】ＮＩＣ３１１の構成を示す図である。
【図８】本実施例を説明するフローチャートである。
【図９】ジョブ登録データの構成を説明する図である。
【図１０】ジョブチケットの構成を説明する図である。
【図１１】プリントデータファイルの属性構成を説明する図である。
【符号の説明】
【００５７】
１−１  ＭＦＰシステム
１−２  モニター
１−３  ＭＦＰ
１−４  携帯機器
１−５  ブルーツース
１−６  無線ＬＡＮ
【図１】
2006285906.tif 000003
【図２】
2006285906.tif 000004
【図３】
2006285906.tif 000005
【図４】
2006285906.tif 000006
【図５】
2006285906.tif 000007
【図６】
2006285906.tif 000008
【図７】
2006285906.tif 000009
【図８】
2006285906.tif 000010
【図９】
2006285906.tif 000011
【図１０】
2006285906.tif 000012
【図１１】
2006285906.tif 000013